(57)【要約】【課題】光記録ヘッドの導光路に加熱用のレーザ光を簡単に精度よく導くことのできる光記録ヘッド、光記録ヘッドの調整方法および記録装置を提供すること。【解決手段】偏向面の外周の少なくとも一部が偏向面の光入射位置を中心とした円弧状である偏向素子を備え、円弧状の偏向面の外周を用いて偏向素子の位置決めを行うことで、光記録ヘッドの導光路に加熱用のレーザ光を簡単に精度よく導くことのできる光記録ヘッド、光記録ヘッドの調整方法および記録装置を提供することができる。【選択図】図２
2009087482.tif 000002
【特許請求の範囲】
【請求項１】
光源から入射する光を偏向させるための偏向面を有する偏向素子と、
前記偏向素子によって偏向された光を導光するための導光路を有するスライダとを備えた光記録ヘッドにおいて、
前記偏向素子の側面の少なくとも一部が、光源から入射する前記光が前記偏向面に入射する位置を中心とした円弧状であることを特徴とする光記録ヘッド。
【請求項２】
前記偏向素子は、光を偏向させるための偏向部と、前記偏向部に光を導くための光ファイバを保持する保持部とを有し、前記保持部の幅が前記偏向部の幅と同じであることを特徴とする請求項１に記載の光記録ヘッド。
【請求項３】
前記偏向素子は、光を偏向させるための偏向部と、前記偏向部に光を導くための保持部とを有し、前記保持部の幅が前記偏向部の幅よりも狭いことを特徴とする請求項１に記載の光記録ヘッド。
【請求項４】
光を偏向させるための偏向面を有する偏向素子と、
光を導光するための導光路を有するスライダとを備えた光記録ヘッドの調整方法において、
前記偏向素子の側面の少なくとも一部が、前記偏向面の光入射位置を中心とした円弧状であり、
円弧状の前記側面に接する任意の２点を基準として、前記偏向素子の位置決めを行うことを特徴とする光記録ヘッドの調整方法。
【請求項５】
情報を記録するためのディスクと、
請求項１乃至３の何れか１項に記載の光記録ヘッドとを備え、
前記光記録ヘッドを、請求項４に記載の光記録ヘッドの調整方法にて調整することを特徴とする記録装置。
【発明の詳細な説明】
【技術分野】
【０００１】
本発明は、光記録ヘッド、光記録ヘッドの調整方法および記録装置に関し、特に偏向面の外周の少なくとも一部が偏向面の光入射位置を中心とした円弧状である偏向素子を備えた光記録ヘッド、光記録ヘッドの調整方法および記録装置に関する。
【背景技術】
【０００２】
近年、パーソナルコンピュータ（ＰＣ）のソフトウェアの大規模化や動画コンテンツ等の普及により、ハードディスク等の記録装置の小型大容量化が求められている。
【０００３】
ハードディスクのような磁気記録では、記録密度が高くなると、磁気ビットが外部温度等の影響を顕著に受けるようになる。このため高い保磁力を有する記録媒体が必要になるが、そのような記録媒体を使用すると、記録時に必要な磁界も大きくなる。記録ヘッドによって発生する磁界は飽和磁束密度によって上限が決まるが、その値は材料限界に近づいており、飛躍的な増大は望めない。
【０００４】
そこで、記録時に記録媒体を局所的に加熱して磁気軟化を生じさせ、保磁力が小さくなった状態で記録し、その後に加熱を止めて自然冷却することにより、記録した磁気ビットの安定性を保証する方式が提案されている。この方式は熱アシスト磁気記録方式と呼ばれている。
【０００５】
熱アシスト磁気記録方式では、記録媒体の加熱を瞬間的に行うことが望ましい。また、加熱する機構と記録媒体とが接触することは許されない。このため、加熱は光の吸収を利用して行われるのが一般的であり、加熱に光を用いる方式は光アシスト磁気記録方式（以下、光アシスト式と言う）と呼ばれ、光アシスト式の磁気記録ヘッドは光アシスト式磁気記録ヘッド（以下、光記録ヘッドと言う）と呼ばれている。
【０００６】
光アシスト式で超高密度記録を行う場合、光記録ヘッドの導光路に加熱用のレーザ光を精度よく導く必要があり、そのための位置合わせ調整（以下、アライメントと言う）が必要となる。このアライメント方法として、アクティブアライメント法と呼ばれる方法が用いられる。アクティブアライメント法とは、入力に対する実際の光出力を観察しながら各部品の調整を行う方法で、実際の光出力を用いるために、部品精度に依らない調整を行うことができるメリットがある。
【０００７】
そして、例えば特許文献１には、光素子が搭載されたサブマウントをアクティブアライメント法を用いて位置決めし、光モジュールを製造するための方法が開示されている。
【特許文献１】特開２００５−２８５８８９号公報
【発明の開示】
【発明が解決しようとする課題】
【０００８】
しかしながら、特許文献１に開示されたようなアクティブアライメント法では、光出力を観察しながら部品の位置を３次元的に移動させて位置合わせする必要があり、高精度の多軸調整が必要なために、調整が面倒で時間が長くかかる。多軸調整のための自動調整機も開発されているが、調整時間が長く、自動調整機自体も高価である。
【０００９】
本発明は、上記の課題を鑑みてなされたものであって、その目的とするところは、光記録ヘッドの導光路に加熱用のレーザ光を簡単に精度よく導くことのできる光記録ヘッド、光記録ヘッドの調整方法および記録装置を提供することにある。
【課題を解決するための手段】
【００１０】
本発明の目的は、下記構成により達成することができる。
【００１１】
１．光源から入射する光を偏向させるための偏向面を有する偏向素子と、
前記偏向素子によって偏向された光を導光するための導光路を有するスライダとを備えた光記録ヘッドにおいて、
前記偏向素子の側面の少なくとも一部が、光源から入射する前記光が前記偏向面に入射する位置を中心とした円弧状であることを特徴とする光記録ヘッド。
【００１２】
２．前記偏向素子は、光を偏向させるための偏向部と、前記偏向部に光を導くための光ファイバを保持する保持部とを有し、前記保持部の幅が前記偏向部の幅と同じであることを特徴とする１に記載の光記録ヘッド。
【００１３】
３．前記偏向素子は、光を偏向させるための偏向部と、前記偏向部に光を導くための保持部とを有し、前記保持部の幅が前記偏向部の幅よりも狭いことを特徴とする１に記載の光記録ヘッド。
【００１４】
４．光を偏向させるための偏向面を有する偏向素子と、
光を導光するための導光路を有するスライダとを備えた光記録ヘッドの調整方法において、
前記偏向素子の側面の少なくとも一部が、前記偏向面の光入射位置を中心とした円弧状であり、
円弧状の前記側面に接する任意の２点を基準として、前記偏向素子の位置決めを行うことを特徴とする光記録ヘッドの調整方法。
【００１５】
５．情報を記録するためのディスクと、
１乃至３の何れか１項に記載の光記録ヘッドとを備え、
前記光記録ヘッドを、４に記載の光記録ヘッドの調整方法にて調整することを特徴とする記録装置。
【発明の効果】
【００１６】
偏向面の外周の少なくとも一部が偏向面の光入射位置を中心とした円弧状である偏向素子を備え、円弧状の偏向面の外周を用いて偏向素子の位置決めを行うことで、光記録ヘッドの導光路に加熱用のレーザ光を簡単に精度よく導くことのできる光記録ヘッド、光記録ヘッドの調整方法および記録装置を提供することができる。
【発明を実施するための最良の形態】
【００１７】
以下、本発明を図示の実施の形態に基づいて説明するが、本発明は該実施の形態に限られない。なお、図中、同一あるいは同等の部分には同一の番号を付与し、重複する説明は省略する。
【００１８】
最初に、本発明における光記録ヘッドを搭載した記録装置（例えばハードディスク装置）の概略構成例を、図１を用いて説明する。図１は、本発明における光記録ヘッドを搭載した記録装置の概略構成例を示す模式図である。
【００１９】
図１において、記録装置１Ａは、筐体１の中に、以下の（１）〜（６）を備えている。
（１）記録用のディスク（記録媒体）２
（２）支軸５を支点として矢印Ａの方向（トラッキング方向）に回転可能に設けられたサスペンション４
（３）サスペンション４に取り付けられたトラッキング用アクチュエータ６
（４）サスペンション４の先端に取り付けられた光記録ヘッド３
（５）ディスク２を矢印Ｂの方向に回転させる不図示のモータ
（６）トラッキング用アクチュエータ６、モータ及び記録等の制御を行う制御部７
こうした光記録装置１Ａは、光記録ヘッド３がディスク２の上で浮上しながら相対的に移動しうるように構成されている。
【００２０】
次に、本発明における光記録ヘッドの第１の実施の形態について、図２を用いて説明する。図２は、光記録ヘッド３の第１の実施の形態の構成の１例を示す模式図で、図２（ａ）が上面図、図２（ｂ）が側面図である。
【００２１】
図２（ａ）、（ｂ）において、光記録ヘッド３は、偏向素子１３とスライダ１５等で構成され、スライダ１５の上面に偏向素子１３の光射出面１３ｄが接するように配置されている。偏向素子１３は、偏向面１３ａを持つ偏向部１３ｘと、レーザ光１２を導光する光ファイバ１１を保持する保持部１３ｙとで構成される。スライダ１５は、レーザ光１２を導光する導光路１６を有している。光記録ヘッド３は、サスペンション４の下側に配置され、ディスク２の上を浮上して移動する。
【００２２】
偏向素子１３の保持部１３ｙには溝１４が設けられ、溝１４に光ファイバ１１が挿入されることで、光ファイバ１１によって導光された不図示の半導体レーザからのレーザ光１２が、偏向素子１３の偏向面１３ａ上の光入射位置１３ｃに入射するように設定されている。偏向面１３ａで偏向されたレーザ光１２は、スライダ１５の導光路１６に導入され、ディスク２に照射される。
【００２３】
スライダ１５の導光路１６に隣接して磁気記録部１７が設けられ、レーザ光１２によって磁気軟化されたディスク２に情報が記録される。また、導光路１６に隣接して磁気再生部１８が設けられ、ディスク２上に記録された情報が読み出されて再生される。
【００２４】
ここで、図２（ａ）に示すように、偏向素子１３は、その側面の少なくとも一部１３ｂ（図２（ａ）では１８０°）が光入射位置１３ｃを中心とする円弧状をなしており、光入射位置１３ｃと円弧状の側面１３ｂとの距離は一定（ここではＲとする）である。偏向素子１３の保持部１３ｙおよびスライダの外形については特に制約はないが、ここでは保持部１３ｙおよびスライダの横幅Ｙ＝２Ｒとし、導光路１６はスライダ１５の図２（ａ）の右端面および上端面からＲの距離のところに設けられているとする。
【００２５】
続いて、本発明における光記録ヘッドの第１の実施の形態のアライメント方法について、図３を用いて説明する。図３は、光記録ヘッドの第１の実施の形態のアライメント方法の１例を示す模式図である。
【００２６】
図３（ａ）において、Ｌ型基準ブロック５１の基準面５２および５３にスライダ１５の側面を当接させる。この時、スライダ１５の導光路１６と基準面５２および５３との距離はどちらもＲである。
【００２７】
図３（ｂ）において、スライダ１５の上面に、レーザ光１２が偏向面１３ａ上の光入射位置１３ｃに入射するように光ファイバ１１を挿入済みの偏向素子１３を載せ、偏向面１３ａの円弧状の外周１３ｂをＬ型基準ブロック５１の基準面５２および５３に当接させる。円弧状の外周１３ｂは、Ｌ型基準ブロック５１の基準面５２および５３と、基準点５２ａおよび５３ａの２点で当接される。
【００２８】
この時、光入射位置１３ｃと基準点５２ａおよび５３ａとの距離はどちらもＲであるので、レーザ光１２はスライダ１５の導光路１６に正しく入射する。この状態で偏向素子１３とスライダ１５とが例えば接着により固定されることで、光記録ヘッド３のアライメントが完了される。
【００２９】
もしここで、偏向素子１３がスライダ１５に対して、図３（ｃ）の矢印Ｃのように、本来の位置よりも図の紙面内で反時計方向に回転して載せられたとしても、偏向素子１３の光入射位置１３ｃと偏向面１３ａの円弧状の外周１３ｂとの距離はＲで変化ないので、この場合でもレーザ光１２はスライダ１５の導光路１６に正しく入射する。従って、偏向素子１３は、スライダ１５に対する回転方向の誤差を考慮する必要がなく、アライメント時の自由度が増したことになる。
【００３０】
上述したように、本発明における光記録ヘッドの第１の実施の形態によれば、Ｌ型基準ブロック５１の基準面５２および５３にスライダ１５の側面を当接させる。同様に、スライダ１５の上面に偏向素子１３を載せ、偏向素子１３の偏向面１３ａの円弧状の外周１３ｂをＬ型基準ブロック５１の基準面５２および５３の基準点５２ａおよび５３ａの２点で当接させる。
【００３１】
偏向素子１３には、レーザ光１２が偏向面１３ａ上の光入射位置１３ｃに入射するように光ファイバ１１を挿入済みであるので、円弧状の外周１３ｂを基準点５２ａおよび５３ａの２点で当接させさえすれば、レーザ光１２をスライダ１５の導光路１６に正しく入射させることができる。よって、偏向素子１３のスライダ１５に対する反時計方向の回転のの誤差を考慮する必要がなく、反時計方向の回転の精密な調整を必要としない簡易な工程で光記録ヘッドのアライメントを行うことができる。
【００３２】
従って、本発明における光記録ヘッドの第１の実施の形態のアライメントにおいては、アクティブアライメント法を用いる必要がなく、上述したような所謂パッシブアライメント法でアライメントが可能である。
【００３３】
なお、ここではＬ型基準ブロック５１を用いて、基準点５２ａおよび５３ａと円弧状の外周１３ｂとを当接させたが、基準はＬ型に限るものではなく、円弧状の外周１３ｂ上の任意の２点に当接するものであればよく、基準面も直線状でも曲線状でもよい。
【００３４】
次に、本発明における光記録ヘッドの第２の実施の形態について、図４を用いて説明する。図４は、光記録ヘッド３の第２の実施の形態の構成の１例を示す模式図で、図４（ａ）が上面図、図４（ｂ）が側面図である。
【００３５】
図４（ａ）、（ｂ）において、光記録ヘッド３は、図２の第１の実施の形態と同様に、偏向素子１３とスライダ１５等で構成され、スライダ１５の上面に偏向素子１３の光射出面１３ｄが接するように配置されている。偏向素子１３が偏向部１３ｘと保持部１３ｙとで構成されるのも、スライダ１５が導光路１６を有しているのも、レーザ光１２の光入射位置１３ｃへの導光方法も同じである。
【００３６】
図４の第２の実施の形態が図２の第１の実施の形態と異なる点は、偏向素子１３の保持部１３ｙの横幅Ｙが偏向部１３ｘの横幅（２Ｒ）よりも小さく、円弧状の側面１３ｂの角度が１８０°よりも大きくなっている点である。
【００３７】
図４に示した光記録ヘッドの第２の実施の形態のアライメント方法について、図５を用いて説明する。図５は、光記録ヘッドの第２の実施の形態のアライメント方法の１例を示す模式図である。
【００３８】
図５（ａ）に示した状態は図３（ｃ）に示したと同様に、偏向素子１３がスライダ１５に対して本来の位置よりも図の紙面内で反時計方向に回転して載せられた場合である。この場合、図３（ｃ）と同様にレーザ光１２はスライダ１５の導光路１６に正しく入射する。
【００３９】
さらに、図５（ｂ）のように、偏向素子１３がスライダ１５に対して本来の位置よりも図の紙面内で時計方向に回転して載せられた場合にも、本第２の実施の形態であれば、偏向面１３ａの円弧状の外周１３ｂをＬ型基準ブロック５１の基準点５２ａおよび５３ａに当接させることができるので、レーザ光１２をスライダ１５の導光路１６に正しく入射させることができる。
【００４０】
上述したように、本発明における光記録ヘッドの第２の実施の形態によれば、偏向素子１３の保持部１３ｙの横幅を偏向部１３ｘよりも小さくすることで、第１の実施の形態の効果に加えて、時計方向の回転の誤差も考慮する必要がなく、回転方向の自由度をさらに大きくすることができる。
【００４１】
以上に述べたように、本発明によれば、偏向面の外周の少なくとも一部が偏向面の光入射位置を中心とした円弧状である偏向素子を備え、円弧状の偏向面の外周を用いて偏向素子の位置決めを行うことで、光記録ヘッドの導光路に加熱用のレーザ光を簡単に精度よく導くことのできる光記録ヘッド、光記録ヘッドの調整方法および記録装置を提供することができる。
【００４２】
尚、本発明に係る光記録ヘッド、光記録ヘッドの調整方法および記録装置を構成する各構成の細部構成および細部動作に関しては、本発明の趣旨を逸脱することのない範囲で適宜変更可能である。
【図面の簡単な説明】
【００４３】
【図１】本発明における光記録ヘッドを搭載した記録装置の概略構成例を示す模式図である。
【図２】光記録ヘッドの第１の実施の形態の構成の１例を示す模式図である。
【図３】光記録ヘッドの第１の実施の形態のアライメント方法の１例を示す模式図である。
【図４】光記録ヘッドの第２の実施の形態の構成の１例を示す模式図である。
【図５】光記録ヘッドの第２の実施の形態のアライメント方法の１例を示す模式図である。
【符号の説明】
【００４４】
１Ａ  ハードディスク
１  筐体
２  ディスク
３  光アシスト式ヘッド
４  サスペンション
４ａ  透明部
５  支軸
６  トラッキング用アクチュエータ
７  制御部
１１  光ファイバ
１２  レーザ光
１３  偏向素子
１３ａ  偏向面
１３ｂ  偏向面の円弧状の外周
１３ｃ  光入射位置
１３ｄ  光射出面
１３ｘ  偏向部
１３ｙ  保持部
１４  溝
１５  スライダ
１６  導光路
１７  磁気記録部
１８  磁気再生部
５１  Ｌ型基準ブロック
５２  基準面
５２ａ  基準点
５３  基準面
５３ａ  基準点
【図１】
2009087482.tif 000003
【図２】
2009087482.tif 000004
【図３】
2009087482.tif 000005
【図４】
2009087482.tif 000006
【図５】
2009087482.tif 000007